(57)【特許請求の範囲】
【請求項１】
基板を覆うケーシングがハウジングの上面に被せられるコネクタであって、
前記ハウジングは、相手側コネクタを内部に嵌合可能なフード状をなすとともに、水平方向に間隔を空けた状態で、並んで設けられた複数のコネクタ嵌合フード部と、
前記コネクタ嵌合フード部の上方に配されて前記相手側コネクタとの嵌合動作を助勢するレバーが収容されるレバー収容フード部と、を備え、
前記レバー収容フード部の前記相手側コネクタとの嵌合方向の後方側には、複数の前記コネクタ嵌合フード部の並び方向に沿って延びるとともに上方に向けて開口する溝部が設けられており、
前記溝部の底部には、隣り合う前記コネクタ嵌合フード部間の隙間と連通する孔部が設けられているコネクタ。
【請求項２】
前記コネクタ嵌合フード部の外側面に、前記相手側コネクタとの嵌合方向の前方側に向けて下向きに傾斜する排水リブが設けられている請求項１に記載のコネクタ。
【請求項３】
前記溝部は、複数の前記コネクタ嵌合フード部の並び方向における端部において開口している請求項１または請求項２に記載のコネクタ。
【請求項４】
前記溝部の前記底部は、複数の前記コネクタ嵌合フード部の並び方向においてその中央部から端部に向けて下がる傾斜状とされている請求項３に記載のコネクタ。
【請求項５】
前記レバー収容フード部の前記相手側コネクタとの嵌合方向に沿った長さ寸法は、前記コネクタ嵌合フード部の前記相手側コネクタとの嵌合方向に沿った長さ寸法よりも短く設定されており、前記溝部は前記コネクタ嵌合フード部の上方に配されている請求項１ないし請求項４のいずれか一項に記載のコネクタ。
【発明の詳細な説明】
【技術分野】
【０００１】
本発明は、コネクタに関する。
【背景技術】
【０００２】
従来より、基板に接続されるコネクタが知られている。例えば下記特許文献１に記載のコネクタは、ハウジングの後面から延出した端子が基板に接続されるものとされている。基板はケーシングにより覆われ、異物との接触が防止されるようになっている。コネクタは、基板の縁部に固定され、ケーシングは、基板の上面側の全体とハウジングの上面のうち基板側の部分とを覆うものとされている。
【先行技術文献】
【特許文献】
【０００３】
【特許文献１】特開２０１３−１４３２８６号公報
【発明の概要】
【発明が解決しようとする課題】
【０００４】
ところで、上記のような構成のコネクタにおいては、一般に、ケーシングとハウジングとの間の隙間から水等の液体が浸入することを防ぐため、防滴シートが被せられる。しかしながら、より防水性を高めるべく、万一この隙間に液体が入り込んだとしても、その液体がハウジングの上面を伝って基板側へ入り込んでしまうことを防ぎたいという要望があった。
【０００５】
本発明は上記のような事情に基づいて完成されたものであって、液体がハウジングの上面を伝って基板側へ浸入することを防ぐことが可能なコネクタを提供することを目的とする。
【課題を解決するための手段】
【０００６】
上記課題を解決するためになされた本発明は、基板を覆うケーシングがハウジングの上面に被せられるコネクタであって、前記ハウジングは、相手側コネクタを内部に嵌合可能なフード状をなすとともに、水平方向に間隔を空けた状態で、並んで設けられた複数のコネクタ嵌合フード部と、前記コネクタ嵌合フード部の上方に配されて前記相手側コネクタとの嵌合動作を助勢するレバーが収容されるレバー収容フード部と、を備え、前記レバー収容フード部の前記相手側コネクタとの嵌合方向の後方側には、複数の前記コネクタ嵌合フード部の並び方向に沿って延びるとともに上方に向けて開口する溝部が設けられており、前記溝部の底部には、隣り合う前記コネクタ嵌合フード部間の隙間と連通する孔部が設けられているものである。
【０００７】
このような構成によれば、液体がハウジングの上面を伝って基板側に入り込みそうになった場合でも、液体は浸入の途中で溝部に落ち込み、溝部の底部に設けられた孔部から隣り合うコネクタ嵌合フード部間の隙間を通って下方に向けて排水される。従って、液体がハウジングの上面を伝って基板側へ浸入することを防ぐことができる。
【０００８】
コネクタ嵌合フード部の外側面に、相手側コネクタとの嵌合方向の前方側に向けて下向きに傾斜する排水リブを設ける構成としてもよい。このような構成によれば、溝部の孔部から落ち込んでコネクタ嵌合フード部の外側面に至った液体を、排水リブを伝わせることにより、相手側コネクタとの嵌合方向の前方側、すなわち、基板から離れる方向に向けて確実に排水させることができる。
【０００９】
また、溝部は、複数のコネクタ嵌合フード部の並び方向における端部において開口させる構成としてもよい。このような構成によれば、溝部に至った液体は、孔部からだけでなく、溝部の端部においても排水されるから、より確実に、液体がハウジングの上面を伝って基板側へ浸入することを防ぐことができる。
【００１０】
またこの時、溝部の底部を、複数のコネクタ嵌合フード部の並び方向においてその中央部から端部に向けて下がる傾斜状としておくことにより、より排水し易くすることができる。
【００１１】
さらに、レバー収容フード部の相手側コネクタとの嵌合方向に沿った長さ寸法を、コネクタ嵌合フード部の相手側コネクタとの嵌合方向に沿った長さ寸法よりも短く設定し、溝部をコネクタ嵌合フード部の上方に配する構成としてもよい。このような構成とすることにより、レバー収容フード部の後方の余ったスペースを無駄なく利用できるとともに、孔部を溝部の底部に垂直に形成することが可能となり、製造が容易となる。
【発明の効果】
【００１２】
本発明によれば、液体がハウジングの上面を伝って基板側へ浸入することを防ぐことが可能なコネクタを提供することができる。
【図面の簡単な説明】
【００１３】
【図１】本実施形態の雌コネクタを表す斜視図
【図２】本実施形態の雄コネクタであって、基板に接続されるとともにケーシングが被せられた状態を表す断面図
【図３】雄コネクタを表す斜視図
【図４】雄コネクタを表す正面図
【図５】雄コネクタを表す平面図
【図６】雄コネクタを表す底面図
【図７】雄コネクタを表す側面図
【図８】図２の一部拡大断面図
【図９】図４のＡ−Ａ断面の雄ハウジングの斜視図
【図１０】図４のＢ−Ｂ断面図
【図１１】図５のＣ−Ｃ断面図
【図１２】他の実施形態の雄コネクタを表す断面図
【発明を実施するための形態】
【００１４】
＜実施形態＞
以下、本発明を具体化した一実施形態について、図１〜図１１を参照しつつ詳細に説明する。
【００１５】
本実施形態におけるコネクタは、エアバック回路に接続されるエアバック用コネクタであって、雌型のコネクタ（相手側コネクタであって、雌コネクタ４０と称する）と嵌合可能な雄型のコネクタ（雄コネクタ１０と称する）である。雄コネクタ１０と雌コネクタ４０とは、雌コネクタ４０に備えられたレバー４３を回動操作することにより、その嵌合動作および離脱動作が助勢されるレバー式のコネクタである。以下、各構成部材において、それぞれ相手側との嵌合面側を前方、その反対側を後方とし、図２の上側を上方、下側を下方として説明する。また、雄コネクタ１０を正面から見たときの右側（図４の右側）を右方、左側（図４の左側）を左方として説明する。
【００１６】
雌コネクタ４０は、図１に示すように、雌型の端子（雌端子と称する）を保持する雌ハウジング４２に、レバー４３を組み付けたものである。雌ハウジング４２は合成樹脂製であって、略方形のブロック状をなし、その内部に、雌端子が収容されている。
【００１７】
雌ハウジング４２の外周面には、略方形の角形をなすシールリング４４が嵌着され、雌コネクタ４０と雄コネクタ１０との正規の嵌合状態では、シールリング４４が雌ハウジング４２の外周面と、後述する雄コネクタ１０の第１フード部１４の内周面との間で挟持され、第１フード部１４の内部をシール状態に保持する。なお、シールリング４４の外側には、第１フード部１４の先端に外嵌する雌側フード部４５が、シールリング４４を覆うようにして設けられている。
【００１８】
雌ハウジング４２には、雄コネクタ１０との嵌合動作を助勢するレバー４３が、回動可能に装着されている。レバー４３は、カム溝４７が形成されたカム板４６を一対と、これらカム板４６を連結する操作部（図示せず）とを備えた略門形をなしている。
【００１９】
レバー４３の初期位置では、カム溝４７の入口が前方に向くようになっており、両コネクタ１０，４０を浅く嵌合させると、カム溝４７の入口から後述する雄コネクタ１０のカムピン２０が導入される。そして、レバー４３を初期位置から嵌合位置に向けて回動させると、カムピン２０がカム溝４７に沿って移動し、これらの係合に基づくカム作用によって両コネクタ１０，４０が互いに引き寄せられる。そして、レバー４３が嵌合位置に至ると、カムピン２０がカム溝４７の奥端に到達し、両コネクタ１０，４０が正規に嵌合した状態となる。
【００２０】
カム板４６には、カム板４６の板厚方向に弾性撓み可能に形成されたロックアーム４９が設けられ、ロックアーム４９の長さ方向の中央部には、ロック突起４９Ｐが形成されている。ロック突起４９Ｐは、後述する雄コネクタ１０のロック孔２３に嵌合し、両コネクタ１０，４０を正規の嵌合状態にロックする。
【００２１】
雄コネクタ１０は、複数の雄型の端子（雄端子１１と称する）と、雄端子１１を保持する雄ハウジング１２とを備えて構成されている。雄コネクタ１０は、図２に示すように、雄ハウジング１２から延出した雄端子１１が、雄ハウジング１２の後方側に配された基板５０に接続される基板用コネクタであり、雄ハウジング１２の上面１２Ｕ側には、基板５０を覆うケーシング５１が被せられる。
【００２２】
雄ハウジング１２は合成樹脂材料よりなり、雄端子１１を前後方向に貫通保持する保持壁１３と、保持壁１３の前面（図２の右側の面）から前方側に向けて延出されるとともに、図４に示すように、水平方向（左右方向）に間隔を空けた状態で並んで設けられた複数（本実施形態では３つ）の第１フード部１４（コネクタ嵌合フード部の一例）と、これら第１フード部１４を上方側から一括に覆う第２フード部１５と、を有する（図３参照）。雄ハウジング１２は、全体として左右方向に長い形状をなしている。
【００２３】
各第１フード部１４は略四角筒状をなして前方に向けて開口しており、その内側は、雌コネクタ４０が緊密に嵌合可能なコネクタ嵌合部１４Ａとされている。３つの第１フード部１４（コネクタ嵌合部１４Ａ）のうち左右方向の中央に位置する第１フード部１４は、両端に位置する第１フード部１４に比して、幅寸法（左右方向の寸法）が大きくされている（図４参照）。３つの第１フード部１４の高さ寸法は、全て同等とされている。また３つの第１フード部１４は、保持壁１３に対して同じ高さに並んで設けられている。なお、第１フード部１４の高さ寸法と保持壁１３の高さ寸法とは、同等とされている。
【００２４】
雄端子１１は、導電性金属からなる角線材をＬ字状に折り曲げたものであり、保持壁１３に形成された端子挿入孔１３Ａに圧入され保持されて、その一端側が各第１フード部１４内に突出している（図８参照）。また、雄端子１１の他端側は、保持壁１３から後方側に延出されて下方に向けて直角に屈曲され、基板５０に形成された図示しないスルーホールに挿入されて、半田付け等により図示しない導電路に接続されている（図２参照）。
【００２５】
第２フード部１５は、図３および図８に示すように、各第１フード部１４の前後方向における中央よりやや後方側から前端までの領域を上方側から一括に覆う形態をなしており、上壁１５Ａと、上壁１５Ａの左右方向の側端縁から下方に向けて延出された一対の側壁１５Ｂと、上壁１５Ａの後端縁から下方に向けて延出された奥壁１５Ｃと、を備えている。上壁１５Ａは、雄ハウジング１２の上面１２Ｕを構成している。側壁１５Ｂの下端は第１フード部１４の側壁と一体に連結されている。奥壁１５Ｃは、上壁１５Ａと第１フード部１４とを一体に連結している。また図４に示すように、上壁１５Ａのうち、隣り合う第１フード部１４の間の隙間１９に対応する位置には、下方に向けて正面視逆Ｔ字状に延びて上壁１５Ａとフード部１４との間の空間、および、該空間と隙間１９との間を仕切る仕切壁１７が設けられている。
【００２６】
上壁１５Ａ、側壁１５Ｂまたは仕切壁１７、奥壁１５Ｃ、および、第１フード部１４の上面により囲まれた空間は、両コネクタ１０，４０の嵌合時にレバー４３が収容されるレバー収容部１８とされている。レバー収容部１８は前方に開口する形態をなしており、コネクタ嵌合部１４Ａと同数が設けられている（図３および図４参照）。
【００２７】
雄ハウジング１２には、円柱状のカムピン２０が一対設けられている。一対のカムピン２０は、各第１フード部１４の上面および下面に設けられている（図４参照）。より詳細には、第１フード部１４の上面のカムピン２０は、レバー収容部１８内において上方に向けて突出して形成され、第１フード部１４の下面のカムピン２０は、レバー収容部１８のカムピン２０と同軸となる位置において下方に向けて突出して形成されている。カムピン２０は、各レバー収容部１８における左右方向の中央よりも左側寄りの位置に設けられている。
【００２８】
また、第１フード部１４の下面には、レバー４３のカム板４６の周縁部が嵌合可能なカム板嵌合部２１が設けられている。このカム板嵌合部２１にカム板４６の周縁部が嵌合することで、カム板４６が雄ハウジング１２から下方に離間するようにレバー４３が開き変形することを回避することができる。
【００２９】
第２フード部１５の上壁１５Ａには、図３および図５に示すように、複数の開口部２２が形成されている。開口部２２は、カムピン２０の後面を成形するための型抜き孔である。開口部２２は、各カムピン２０の中心からレバー収容部１８の奥壁１５Ｃに近い位置に至る前後方向に若干長い矩形状をなして、上壁１５Ａを貫通している。開口部２２は、レバー収容部１８に設けられたカムピン２０と同数の３つが形成されている。
【００３０】
また上壁１５Ａには、図３および図５に示すように、ロック孔２３が設けられている。ロック孔２３は、方形状をなして上壁１５Ａを貫通する孔であり、第１フード部１４と同数（３つ）設けられている。各ロック孔２３には、レバー４３に設けられたロック突起４９Ｐが嵌合して係止するものとされている。ロック孔２３は、各レバー収容部１８に対して左右方向の中央よりも若干右側寄りの位置に設けられている。
【００３１】
また雄ハウジング１２の上面１２Ｕ（上壁１５Ａ）には、図３および図５に示すように、前後方向に延びる縦溝２５Ａと、左右方向に延びる横溝２５Ｂとが繋がった形態で形成された溜液部２５が、複数（本実施形態では４個）設けられている。複数の溜液部２５は、上壁１５Ａに形成された開口部２２を境にして左右に配されている。各溜液部２５は、それぞれ雄ハウジング１２の側面１２Ｓ（第２フード部１５の側壁１５Ｂの外面）または開口部２２に達している。溜液部２５を構成する縦溝２５Ａおよび横溝２５Ｂの深さ寸法は、全体にわたり略一定とされている。
【００３２】
雄ハウジング１２の上面１２Ｕ（上壁１５Ａ）には、ケーシング５１の外周縁に沿って下方に膨出する膨出部５３に対応して、窪み部２６が設けられている（図８参照）。窪み部２６は、雄ハウジング１２の上面１２Ｕの前端縁に沿って、雄ハウジング１２（上壁１５Ａ）の全幅にわたり形成されている（図３参照）。
【００３３】
さらに、雄ハウジング１２の後端寄りには、防水リブ２８が設けられている。防水リブ２８は、図８に示すように、前後方向における第２フード部１５の後方側かつ保持壁１３の前方側において、各第１フード部１４の外面から外側に向けて立ち上がるように設けられている（図３および図４参照）。防水リブ２８は、雄ハウジング１２の全周にわたって連続して設けられており、後方側への水の浸入を阻止する機能を有する。防水リブ２８のうち、第１フード部１４の上面に設けられた部分を上部リブ２８Ａとすると、上部リブ２８Ａ高さ寸法は、図７および図８に示すように、第２フード部１５の高さ寸法と同等とされている。
【００３４】
上部リブ２８Ａと第２フード部１５の奥壁１５Ｃとの間は、上方に向けて開口する溝部３０とされている。溝部３０は、第２フード部１５の高さ寸法と同等の深さ寸法を有して、雄ハウジング１２の幅方向（第１フード部１４の並び方向）に沿って延びるとともに、雄ハウジング１２の両側面１２Ｓに向けて開口された形態とされている。なお、この溝部３０には、図８に示すように、ケーシング５１に設けられた嵌合壁部５２が嵌合するものとされている。
【００３５】
溝部３０の底部には、溝幅の中央位置において雄ハウジング１２の幅方向に沿って上方に向けて突出する隔壁３０Ａが設けられている。この隔壁３０Ａにより、溝部３０の底部には、一対の上面排水溝３１が前後方向に並んで形成されている。一対の上面排水溝３１のうち前側の上面排水溝３１は第２フード部１５の奥壁１５Ｃに沿い、後側の上面排水溝３１は上部リブ２８Ａの前面に沿って、雄ハウジング１２の全幅に延びている。上面排水溝３１（溝部３０）の両端は、図３および図７に示すように、雄ハウジング１２の両側面１２Ｓに達して、開口されている。また、上面排水溝３１（溝部３０）の底部は、雄ハウジング１２の幅方向（左右方向）の中央から雄ハウジング１２の両側面１２Ｓに向かって下がる傾斜状とされている（図１１参照）。
【００３６】
さらに、溝部３０の底部のうち、隣り合う一対の第１フード部１４の間の隙間１９に対応する位置、すなわち、仕切壁１７の後方には、溝部３０と隙間１９とを連通する孔部３２が設けられている（図５参照）。孔部３２の前後方向の孔幅は、溝部３０の溝幅と同等とされている。また、孔部３２の左右方向の孔幅は、隙間１９の幅よりも大きく設定されており、第１フード部１４の上側の角部付近が露出される幅に設定されている（図１１参照）。
【００３７】
また、第１フード部１４の外側面１４Ｓのうち、孔部３２の下方側に位置する外側面１４Ｓ、すなわち、隙間１９に面した第１フード部１４の外側面１４Ｓの下方寄りには、排水リブ３４が設けられている。排水リブ３４は、図９および図１０に示すように、第１フード部１４の外側面１４Ｓの後端、すなわち、保持壁１３から外側面１４Ｓに沿って水平方向に延出されるとともに、孔部３２の下方側において屈曲されることにより前方側に向けて下向きに傾斜されて、第１フード部１４の前後方向における中央付近まで設けられている。排水リブ３４は、隣り合う第１フード部１４の外側面１４Ｓ同士を連結している。
【００３８】
次に、上記のように構成された本実施形態の作用および効果について説明する。
【００３９】
上記の雄コネクタ１０において、万一ケーシング５１と雄ハウジング１２の上面１２Ｕとの間の隙間（膨出部５３と窪み部２６との間の隙間）から液体が入り込んで雄ハウジング１２の上面１２Ｕに付着した場合には、液体は溜液部２５に落ち込み、溜液部２５を構成する縦溝２５Ａおよび横溝２５Ｂの壁面を伝って溜液部２５内に広がる。そして、溜液部２５に溜まった液体は、雄ハウジング１２の側面１２Ｓまたは開口部２２に至って下方に落ち、雄ハウジング１２の外側に排出される。
【００４０】
しかし、液体が溜液部２５を越えてさらに奥方（後方）に広がった場合には、液体は第２フード部１５を越えて溝部３０内に落ち込み、上面排水溝３１内に広がる。そして、上面排水溝３１において孔部３２に至った液体は、孔部３２の開口縁から下方に落ち込み、第１フード部１４の外面、すなわち、第１フード部１４の上方側の角部から外側面１４Ｓを伝って隣り合う第１フード部１４間の隙間１９において下方に落ち、やがて排水リブ３４に到達する。そして、排水リブ３４の上面を伝って、雄ハウジング１２の前方側の斜め下方に向けて排出される。
【００４１】
一方、上面排水溝３１から雄ハウジング１２の側面１２Ｓに達した液体は、上面排水溝３１（溝部３０）の端部から雄ハウジング１２の側面１２Ｓを伝って外部に排出される。
【００４２】
以上説明したように本実施形態によれば、万一ケーシング５１と雄ハウジング１２の上面１２Ｕとの間の隙間から液体が入り込み、奥方に浸入したとしても、その液体は溝部３０内に落ち込み、やがて孔部３２から下方に落ちて雄ハウジング１２の外部に排出されるから、その液体が基板５０側へ浸入することを確実に防ぐことができる。
【００４３】
しかも、排水リブ３４は前方側に向けて下向きに傾斜しているから、排水リブ３４まで達した液体は、基板５０から離れる方向に向けて確実に排水される。
【００４４】
また、溝部３０の底部は、雄ハウジング１２の幅方向の中央部から端部に向けて下がる傾斜状とされるとともに、その端部は雄ハウジング１２の側面１２Ｓに向けて開口されているから、溝部３０に至った液体は、孔部３２からだけでなく、溝部３０の端部においても排水される。従って、より確実に、液体の基板５０側への浸入を防ぐことができる。
【００４５】
さらに、第２フード部１５の前後方向の寸法は、第１フード部１４の前後方向の寸法よりも短く設定されており、第２フード部１５の後方側の余ったスペースに溝部３０を配する構成としているから、スペースの無駄がなく、溝部３０を設けながらも雄コネクタ１０を小型化することができる。さらに、孔部３２を溝部３０の底部に垂直に形成することが可能となり、製造が容易となる。
【００４６】
＜他の実施形態＞
本発明は上記記述及び図面によって説明した実施形態に限定されるものではなく、例えば次のような実施形態も本発明の技術的範囲に含まれる。
【００４７】
（１）上記実施形態では、第１フード部１４の外側面１４Ｓに設けた排水リブ３４を前方側に向けて下向きに傾斜する形状としたが、例えば図１２に示すように、排水リブ３５を傾斜させずに水平に設ける構成としてもよい。あるいは、排水リブを設けない構成としてもよい。
【００４８】
（２）上記実施形態では、溝部３０の両端部を雄ハウジング１２の側面１２Ｓに向けて開口させる構成としたが、必ずしも開口させなくてもよく、溝部３０内の液体を全て孔部３２から排水する構成としてもよい。
【００４９】
（３）上記実施形態では、溝部３０の底部を、雄ハウジング１２の幅方向の中央から側面１２Ｓに向けて下がる傾斜状としたが、必ずしも傾斜させる必要はなく、水平状としてもよい。
【００５０】
（４）孔部３２の形状や大きさは上記実施形態に限るものではなく、適宜変更可能である。
【００５１】
（５）上記実施形態では、溝部３０を第１フード部１４の上方に配する構成としたが、第１フード部１４よりも後方側に配する構成としてもよい。そのような場合には、孔部３２を前方に向けて下向きに傾斜する形態とすることにより、溝部３０と隙間１９と連通させることができる。
【００５２】
（６）上記実施形態では、３つの第１フード部１４の高さを全て同等とし、水平方向に間隔を空けた状態で、水平方向に並べて設けたが、例えば上下方向にずらして設けてもよく、要は、水平方向に間隔が空いた状態とされていれば上記実施形態に限るものではない。また、複数の第１フード部の大きさや高さは、互いに異なるものとしてもよい。
【００５３】
（７）第１フード部１４の数は上記実施形態に限るものではなく、２つ以上の形態であればよい。
【符号の説明】
【００５４】
１０…雄コネクタ（コネクタ）
１１…雄端子
１２…雄ハウジング（ハウジング）
１２Ｓ…雄ハウジングの側面
１２Ｕ…雄ハウジングの上面
１４…第１フード部（コネクタ嵌合フード部）
１４Ｓ…外側面
１５…第２フード部（レバー収容フード部）
１９…隙間
３０…溝部
３２…孔部
３４、３５…排水リブ
４０…雌コネクタ（相手側コネクタ）
５０…基板
５１…ケーシング
【図１】
0006024992.tif 000002
【図２】
0006024992.tif 000003
【図３】
0006024992.tif 000004
【図４】
0006024992.tif 000005
【図５】
0006024992.tif 000006
【図６】
0006024992.tif 000007
【図７】
0006024992.tif 000008
【図８】
0006024992.tif 000009
【図９】
0006024992.tif 000010
【図１０】
0006024992.tif 000011
【図１１】
0006024992.tif 000012
【図１２】
0006024992.tif 000013